(57)【要約】【課題】  スキャナモータの種類に合わせて複数の支持部材を使い分けると、複数種類の支持部材を設計及び製造せねばならず、その分、設計及び製造のコストが増加してしまう。【解決手段】  固定軸９ｂと回転駆動されるスリーブ９ｅと第１多面鏡１０とを含む第１モータ９と第１モータ９を支持する支持部材２とを有する走査光学装置１において、第１モータ９は、支持部材２に取り付けられた嵌合部材６に嵌合することで支持部材２に対する位置が決まり、支持部材２は、軸受部材９ｃと回転駆動される軸９ｄと第２多面鏡１０とを含む第２モータ９の軸受部材９ｃを嵌合するための被嵌合部２ａを備え、嵌合部材６を支持部材２から取り外し、被嵌合部２ａに第２モータ９の軸受部材９ｃを嵌合することで、第１モータ９に代えて、支持部材２に対する第２モータ９の位置を決めることが可能である。【選択図】  図４
2016051068.tif 000002
【特許請求の範囲】
【請求項１】
固定軸と前記固定軸に支持され回転駆動されるスリーブと前記スリーブに固定された第１多面鏡とを含む第１モータと、前記第１モータを支持する支持部材と、を有する走査光学装置において、
前記第１モータは、前記支持部材に取り付けられた嵌合部材に前記固定軸が嵌合することで前記支持部材に対して位置が決まり、
前記支持部材は、軸受部材と前記軸受部材に支持され回転駆動される軸と前記軸に固定された第２多面鏡とを含む第２モータの前記軸受部材を嵌合するための被嵌合部を備え、
前記嵌合部材を前記支持部材から取り外し、前記支持部材の被嵌合部に第２モータの前記軸受部材を嵌合することで、前記第１モータに代えて、前記支持部材に対する前記第２モータの位置を決めることが可能であることを特徴とする走査光学装置。
【請求項２】
軸受部材と前記軸受部材に支持され回転駆動される軸と前記軸に固定された第２多面鏡とを含む第２モータと、被嵌合部を備え、前記第２モータを支持する支持部材と、を有する走査光学装置において、
前記第２モータは、前記支持部材の前記被嵌合部に前記軸受部材が嵌合することで前記支持部材に対して位置が決まり、
前記支持部材に嵌合部材を取りつけ、固定軸と前記固定軸に支持され回転駆動されるスリーブと前記スリーブに固定された第１多面鏡とを含む第１モータの前記軸受部材を前記嵌合部材に嵌合することで、前記第２モータに代えて、前記支持部材に対する前記第２モータの位置を決めることが可能であることを特徴とする走査光学装置。
【請求項３】
前記嵌合部材に嵌合することで前記支持部材に対する位置が決まった前記第１モータの回転中心と、前記支持部材の前記被嵌合部に嵌合して位置が決まる前記第２モータの回転中心とが一致することを特徴とする請求項１又は２に記載の走査光学装置。
【請求項４】
前記第１モータの前記固定軸の前記嵌合部材に嵌合した部分の外径と、前記第２モータの前記軸受部材の前記支持部材の前記被嵌合部に嵌合する部分の外径と、が異なることを特徴とする請求項１乃至３の何れか一項に記載の走査光学装置。
【請求項５】
前記第２モータの前記軸受部材は、前記嵌合部材が嵌合していない前記支持部材の前記被嵌合部に嵌合して、前記支持部材に対する前記第２モータの位置を決めることが可能であることを特徴とする請求項１乃至４のいずれか一項に記載の走査光学装置。
【請求項６】
多面鏡が固定され前記多面鏡を回転させる第１モータと前記第１モータを支持する支持部材とを有する走査光学装置において、
前記支持部材の被嵌合部に嵌合する嵌合部材を有し、
前記第１モータは、前記被嵌合部に嵌合した前記嵌合部材に嵌合することで前記支持部材に対する位置が決まり、
前記嵌合部材が嵌合していない前記支持部材の前記被嵌合部には、前記第１モータに代えて第２モータを嵌合することで、前記支持部材に対する前記第２モータの位置を決めることが可能であることを特徴とする走査光学装置。
【請求項７】
多面鏡が固定され前記多面鏡を回転させる第２モータと前記第２モータを支持する支持部材とを有し、前記第２モータは前記支持部材の被嵌合部に嵌合することで前記支持部材に対する位置が決まった走査光学装置において、
前記支持部材の被嵌合部に嵌合部材を嵌合させ、前記第２モータに代えて第１モータを前記嵌合部材に嵌合することで、前記支持部材に対する前記第１モータの位置を決めることが可能であることを特徴とする走査光学装置。
【請求項８】
前記支持部材の被嵌合部に嵌合した前記嵌合部材に嵌合して前記支持部材に対する位置が決まった前記第１モータの回転中心と、前記支持部材の被嵌合部に嵌合して前記支持部材に対する位置が決まった前記第２モータの回転中心とが一致することを特徴とする請求項６又は７に記載の走査光学装置。
【請求項９】
前記第１モータの前記嵌合部材に嵌合した部分の外径と、前記第２モータの前記支持部材の前記被嵌合部に嵌合する部分の外径と、が異なることを特徴とする請求項６乃至８の何れか一項に記載の走査光学装置。
【請求項１０】
請求項１乃至９のいずれか一項に記載の走査光学装置を有し、前記走査光学装置によって感光体を露光することで記録材に画像を形成する画像形成装置。
【請求項１１】
固定軸と前記固定軸に支持され回転駆動されるスリーブと前記スリーブに固定された第１多面鏡とを含む第１モータと前記第１モータを支持する第１支持部材と備える第１走査光学装置と、軸受部材と前記軸受部材に支持され回転駆動される軸と前記軸に固定された第２多面鏡とを含む第２モータと前記第２モータを支持する第２支持部材とを備える第２走査光学装置と、を有し、画像形成装置に用いられる走査光学装置システムであって、
前記第１の走査光学装置は、前記第１支持部材に取り付けられた第１嵌合部材を備え、前記第１モータの前記固定軸が前記第１支持部材に取り付けられた前記第１嵌合部材に嵌合することで前記第１支持部材に対する前記第１モータの位置が決まっており、
前記第１嵌合部材を取り外すことで、前記第２モータの前記軸受部材を前記第１支持部材の第１被嵌合部に嵌合させて前記第１支持部材に対する前記第２モータの位置を決めることが可能で、
前記第２の走査光学装置は、前記第２モータの軸受部材が前記第２支持部材の第２被嵌合部に嵌合することで前記第２支持部材に対する前記第２モータの位置が決まっており、
前記第２支持部材に第２嵌合部材を取り付け、前記第２支持部材に取り付けられた前記第２嵌合部材に前記第１モータの前記固定軸を嵌合させて前記第２支持部材に対する前記第１モータの位置を決めることが可能であることを特徴とする走査光学装置システム。
【請求項１２】
前記第１支持部材と前記第２支持部材は実質的に同形の部材であることを特徴とする請求項１１に記載の走査光学装置システム。
【請求項１３】
前記第１支持部材に対する前記第１被嵌合部の位置は、前記第２支持部材に対する前記第２被嵌合部の位置と同じであることを特徴とする請求項１２に記載の走査光学装置システム。
【請求項１４】
前記第１嵌合部材に嵌合することで前記第１支持部材に対する位置が決まった前記第１モータの回転中心と、前記第２支持部材の前記第２被嵌合部に嵌合することにより位置が決まった前記第２モータの回転中心とが一致することを特徴とする請求項１１乃至１３のいずれか一項に記載の走査光学装置システム。
【請求項１５】
前記第１モータの前記第１嵌合部材に嵌合した部分の外径と、前記第２モータの前記支持部材の前記嵌合部に嵌合する部分の外径と、が異なることを特徴とする請求項１１乃至１４のいずれか一項に記載の走査光学装置システム。
【請求項１６】
多面鏡が固定された前記多面鏡を回転させる第１モータと前記第１モータを支持する第１支持部材と備える第１走査光学装置と、多面鏡が固定された前記多面鏡を回転させる第２モータと前記第２モータを支持する第２支持部材とを備える第２走査光学装置と、を有し、画像形成装置に用いられる走査光学装置システムであって、
前記第１の走査光学装置は、前記第１支持部材に設けられた第１被嵌合部に嵌合した第１嵌合部材を備え、前記第１モータが前記第１被嵌合部に嵌合した前記第１嵌合部材に嵌合することで前記第１支持部材に対する前記第１モータの位置が決まっており、
前記第１嵌合部材を取り外すことで、前記第２モータを前記第１支持部材の第１被嵌合部に嵌合させて前記第１支持部材に対する前記第２モータの位置を決めることが可能で、
前記第２の走査光学装置は、前記第２支持部材に前記第２モータが嵌合する第２被嵌合部が設けられ、前記第２モータが前記第２第２嵌合部に嵌合することで前記第２支持部材に対する前記第２モータの位置が決まっており、
前記第２支持部材に第２嵌合部材を取り付け、前記第２支持部材に取り付けられた前記第２嵌合部材に前記第１モータを嵌合させて前記第２支持部材に対する前記第１モータの位置を決めることが可能であることを特徴とする走査光学装置システム。
【請求項１７】
前記第１支持部材と前記第２支持部材は実質的に同形の部材であり、前記第１支持部材に対する前記第１被嵌合部の位置は、前記第２支持部材に対する前記第２被嵌合部の位置と同じであることを特徴とする請求項１６に記載の走査光学装置システム。
【請求項１８】
前記第１被嵌合部に嵌合した前記第１嵌合部材に嵌合することで前記第１支持部材に対する位置が決まった前記第１モータの回転中心と、前記第２支持部材の第２被嵌合部に嵌合して位置が決まった前記第２モータの回転中心とが一致することを特徴とする請求項１６又は１７に記載の走査光学装置システム。
【請求項１９】
前記第１モータの前記第１嵌合部材に嵌合した部分の外径と、前記第２モータの前記第２支持部材の前記第２被嵌合部に嵌合した部分の外径と、が異なることを特徴とする請求項１６乃至１８に記載の走査光学装置システム。
【発明の詳細な説明】
【技術分野】
【０００１】
本発明は、レーザビームプリンタやデジタル複写機等の画像形成装置に設けられる走査光学装置、及び、複数の走査光学装置を含む走査光学装置システムに関するものである。
【背景技術】
【０００２】
電子写真方式の画像形成装置に用いられる走査光学装置では、ポリゴンミラーが固定されたスキャナモータ、及び光源やレンズ、ミラー等の光学部材がハウジング部材（支持部材）に支持され、位置決め固定されている。
【０００３】
スキャナモータには複数のタイプのものがある。特許文献１には、筒状の軸受部材に回転可能に支持された軸にポリゴンミラーが固定された軸回転タイプのモータが開示されている。特許文献２には、固定軸に回転可能に支持された回転スリーブにポリゴンミラーが固定されたスリーブ回転タイプモータが開示されている。
【先行技術文献】
【特許文献】
【０００４】
【特許文献１】特開２００６−０９１２７１
【特許文献２】特開２０１０−３９３３７
【発明の概要】
【発明が解決しようとする課題】
【０００５】
走査光学装置では、走査光学装置に要求された能力が異なる場合やその他の種々の事情等により、例えば上述した軸回転タイプとスリーブ回転タイプなど、種類の異なる複数のスキャナモータを使い分ける場合がある。この場合、種類の異なる複数のモータ間では、支持部材に嵌合する部分の形状が異なっていると、スキャナモータを嵌合する部分の形状が異なる複数の支持部材を用意し、スキャナモータに合わせて使い分けねばならない。
【０００６】
しかし、スキャナモータの種類に合わせて複数の支持部材を使い分けると、複数種類の支持部材を設計及び製造せねばならず、その分、設計及び製造のコストが増加してしまう。
【０００７】
そこで本開示は、上記課題に鑑みて、共通の支持部材で種類の異なる複数のスキャナモータを使い分け可能にすることを目的とする。
【課題を解決するための手段】
【０００８】
そこで本発明は、固定軸と前記固定軸に支持され回転駆動されるスリーブと前記スリーブに固定された第１多面鏡とを含む第１モータと、前記第１モータを支持する支持部材と、を有する走査光学装置において、前記第１モータは、前記支持部材に取り付けられた嵌合部材に前記固定軸が嵌合することで前記支持部材に対して位置が決まり、前記支持部材は、軸受部材と前記軸受部材に支持され回転駆動される軸と前記軸に固定された第２多面鏡とを含む第２モータの前記軸受部材を嵌合するための被嵌合部を備え、前記嵌合部材を前記支持部材から取り外し、前記支持部材の被嵌合部に第２モータの前記軸受部材を嵌合することで、前記第１モータに代えて、前記支持部材に対する前記第２モータの位置を決めることが可能であることを特徴とする。
【０００９】
また本発明は、固定軸と前記固定軸に支持され回転駆動されるスリーブと前記スリーブに固定された第１多面鏡とを含む第１モータと前記第１モータを支持する第１支持部材と備える第１走査光学装置と、軸受部材と前記軸受部材に支持され回転駆動される軸と前記軸に固定された第２多面鏡とを含む第２モータと前記第２モータを支持する第２支持部材とを備える第２走査光学装置と、を有し、画像形成装置に用いられる走査光学装置システムであって、前記第１の走査光学装置は、前記第１支持部材に取り付けられた第１嵌合部材を備え、前記第１モータの前記固定軸が前記第１支持部材に取り付けられた前記第１嵌合部材に嵌合することで前記第１支持部材に対する前記第１モータの位置が決まっており、前記第１嵌合部材を取り外すことで、前記第２モータの前記軸受部材を前記第１支持部材の第１被嵌合部に嵌合させて前記第１支持部材に対する前記第２モータの位置を決めることが可能で、前記第２の走査光学装置は、前記第２モータの軸受部材が前記第２支持部材の第２被嵌合部に嵌合することで前記第２支持部材に対する前記第２モータの位置が決まっており、前記第２支持部材に第２嵌合部材を取り付け、前記第２支持部材に取り付けられた前記第２嵌合部材に前記第１モータの前記固定軸を嵌合させて前記第２支持部材に対する前記第１モータの位置を決めることが可能であることを特徴とする。
【発明の効果】
【００１０】
本発明によれば、共通の支持部材で種類の異なる複数のスキャナモータを使い分け可能となる。
【図面の簡単な説明】
【００１１】
【図１】本発明に係る走査光学装置が搭載される画像形成装置の構成を示す断面説明図。
【図２】本発明に係る走査光学装置の構成を示す平面説明図。
【図３】軸回転タイプのスキャナモータが組み付けられた場合の走査光学装置の図２における図２のＡ−Ａ断面図。
【図４】スリーブ回転タイプのスキャナモータが組み付けられた場合の走査光学装置の図２におけるＡ−Ａ断面図。
【図５】ハウジング部材と中間部材との関係を示す斜視図。
【発明を実施するための形態】
【００１２】
図により本発明に係る走査光学装置を備えた画像形成装置の一実施形態を具体的に説明する。図１は本実施形態の走査光学装置１を搭載する画像形成装置１６の構成を示す断面説明図である。
【００１３】
＜画像形成装置＞
図１において、１７は画像形成装置１６の装置フレームに固定されるスキャナステーである。１８はプロセスカートリッジである。プロセスカートリッジ１８は、走査光学装置１により画像情報に応じたレーザ光束Ｌ２（光）が露光されて静電潜像が形成される感光体となる感光ドラム１５を有する。更に、該感光ドラム１５の表面を一様に帯電する帯電手段となる帯電ローラ２４を有する。
【００１４】
更に、該帯電ローラ２４により一様に帯電された感光ドラム１５の表面に像露光手段となる走査光学装置１により画像情報に応じたレーザ光束Ｌ２が露光されて形成された静電潜像にトナーを供給する現像装置２５を有する。現像装置２５は感光ドラム１５の表面に形成された静電潜像をトナー像として現像する現像手段として構成される。プロセスカートリッジ１８は、これ等を一体的に備えて構成される。
【００１５】
１９は給送トレイである。２０は給送トレイ１９上に積載された記録材である。２１は給送トレイ１９上に積載された記録材２０を給送するピックアップローラである。２２は転写手段となる転写ローラである。転写ローラ２２は感光ドラム１５の表面に形成されたトナー像を該感光ドラム１５と、該転写ローラ２２とのニップ部に搬送された記録材２０に転写する。２３は定着手段となる定着装置である。
【００１６】
＜画像形成プロセス＞
次に図１を用いて画像形成装置１６の画像形成プロセスについて説明する。先ず、図１に示す感光ドラム１５が帯電ローラ２４によって一様に帯電される。次に画像形成装置１６の装置フレームに設けられたスキャナステー１７上の走査光学装置１によって感光ドラム１５の表面が画像情報に応じたレーザ光束Ｌ２により露光されて静電潜像が形成される。感光ドラム１５の表面に形成された静電潜像に対して現像装置２５によってトナーが供給される。これにより感光ドラム１５の表面にトナー像として現像される。
【００１７】
このトナー像の形成過程とタイミングを合わせて給送トレイ１９上に積載された記録材２０がピックアップローラ２１によって給送される。そして、図１の破線で示す搬送路Ｐを通って転写ローラ２２と感光ドラム１５との転写ニップ部に至る。転写ローラ２２に転写バイアス電圧が印加されることで感光ドラム１５の表面上に形成されたトナー像が記録材２０上に転写される。その後、トナー像が転写された記録材２０は定着装置２３によって加熱及び加圧されてトナー像が記録材２０上に定着される。その後、トナー像が定着された記録材２０は装置外に排出される。
【００１８】
＜走査光学装置＞
次に図２及び図３を用いて走査光学装置（光学ユニット）１の構成について説明する。図２は走査光学装置１の内部構成を示す平面説明図である。図３は図２のＡ−Ａ断面図である。図２において、走査光学装置１は、光源７と、該光源７から出射されたレーザ光束Ｌ１（光）を偏向走査する偏向走査手段となるポリゴンミラー１０とそれを回転させるスキャナモータ９を有する。
【００１９】
更に、該スキャナモータ９により偏向走査されたレーザ光束Ｌ２（光）を被走査体となる感光ドラム１５の表面に結像させる走査レンズ３，４を有する。更に、光源７と、スキャナモータ（モータ）９と、走査レンズ３，４と、を内包するハウジング部材（支持部材）２とを有する。ハウジング部材２は、更に、入射レンズ８と、ポリゴンミラー（多面鏡）１０と、反射ミラー１２等も内包している。ハウジング部材２の上部は、図３に示す蓋体１３により覆われている。ハウジング部材２は、スキャナモータ９及びその他の光学部材（光源７、走査レンズ３、４、反射ミラー１２）をそれぞれ支持し、ハウジング部材２に対して位置決めする。ハウジング部材２は金型で成形された樹脂製の部材である。
【００２０】
図２に示すように、光源７は、レーザ光束Ｌ１を出射する。このレーザ光束Ｌ１は入射レンズ８によって主走査方向には略平行な光束、副走査方向にはポリゴンミラー１０の反射面５上で収束する光束に変換される。ポリゴンミラー１０はスキャナモータ９によって回転駆動され、レーザ光束Ｌ１を主走査方向に偏向走査してレーザ光束Ｌ２に変換する。
【００２１】
このレーザ光束Ｌ２は走査レンズ３，４を通過する。その後、反射ミラー１２によって方向を変えられてハウジング部材２の底板２ｂを貫通する出射口１１を通過して走査光学装置１の外部に設けられた感光ドラム１５の表面上に結像して走査される。これにより帯電ローラ２４によって一様に帯電された感光ドラム１５の表面に静電潜像を形成する。
【００２２】
本実施形態のハウジング部材２には２タイプのスキャナモータ９を組み付け可能となっている。１つは軸回転タイプのスキャナモータ９であり、もう一つはスリーブ回転タイプのモータである。以降はこれら２タイプのスキャナモータ９とそれらをどのようにハウジング部材２に組み付けるかを説明する。
【００２３】
＜軸回転タイプのスキャナモータ＞
まず、スキャナモータ９が軸回転タイプのスキャナモータ（第２モータ）である場合について説明する。図３は、軸回転タイプのスキャナモータ９が組み付けられた場合の走査光学装置１の図２におけるＡ−Ａ断面図である。Ａ−Ａはポリゴンミラー１０の回転中心線９ａを含む断面である。
【００２４】
軸回転タイプのスキャナモータ９はブラシレスモータである。軸回転タイプのスキャナモータ９は、回転する部分として、回転軸９ｄ、回転軸９ｄに固定された台座９４及びロータフレーム９０、台座９４に支持されたポリゴンミラー１０、を備える。ポリゴンミラー１０は台座９４に押圧固定されることで、回転軸９ｄと一体的に回転する。また、ロータフレーム９０の内周にはマグネット９１が固定されている。軸回転タイプのスキャナモータ９は、ハウジング部材２に固定されて回転しない部分として、回転軸９ｄを回転可能に支持する軸受部材９ｃ、軸受部材９ｃが固定された基板９５、基板９５に固定されたコア９２及びコイル９３を備える。基板９５はコイル９３への電力を供給する回路を備える。回転軸９ｄはオイルを介して軸受部材９ｃに支持されており、コイル９３へ電力供給することで回転中心線（中心軸）９ａを中心に回転駆動される。
【００２５】
軸受部材９ｃの端部（被位置決め部）がハウジング部材２の底板ｂに設けられた保持孔（第２被嵌合部）２ａに直接嵌合することで、回転中心線９ａに直交する方向に関して、ハウジング部材２に対するスキャナモータ９の回転中心線９ａの位置が決まっている。軸受部材９ｃの保持孔２ａに嵌合する部分（被位置決め部）の外径はＲ１であり、保持孔２ａは所定の嵌め合い精度で軸受部材９ｃと嵌合するようその内径が約Ｒ１に設定されている。
【００２６】
これにより、ポリゴンミラー１０と他の光学部材との位置関係が決まる。また、回転中心線９ａの方向に関して、基板９５がハウジング部材２の不図示の座面に突き当たり、ハウジング部材２に不図示のビスにより締結されている。これにより、回転中心線９ａの方向に関するスキャナモータ９の位置が決まり、スキャナモータ９がハウジング部材２から外れることを防いでいる。なお、本実施形態では、軸回転タイプのスキャナモータ９を有する走査光学装置１では、スキャナモータ９は第２モータ、ハウジング部材２は第２支持部材、保持孔２ａは第２被嵌合部、中間部材６は第２嵌合部材と称す。
【００２７】
＜スリーブ回転タイプのスキャナモータ＞
次に、スキャナモータ９がスリーブ回転タイプのスキャナモータ（第１モータ）である場合について説明する。図４は、スリーブ回転タイプのスキャナモータ９が組み付けられた場合の走査光学装置１の図２におけるＡ−Ａ断面図である。Ａ−Ａはポリゴンミラー１０の回転中心線９ａを含む断面である。
【００２８】
スリーブ回転タイプのスキャナモータ９はブラシレスモータである。スリーブ回転タイプのスキャナモータ９は、回転する部分として、回転スリーブ９ｅ、回転スリーブ９ｅに固定されたロータフレーム９０、回転スリーブ９ｅの台座部分に支持されたポリゴンミラー１０、を備える。ポリゴンミラー１０は回転スリーブ９ｅの台座部分に押圧固定されることで、回転スリーブ９ｅと一体的に回転する。また、ロータフレーム９０の内周にはマグネット９１が固定されている。スリーブ回転タイプのスキャナモータ９は、ハウジング部材２に固定され回転しない部分として、回転スリーブ９ｅを回転可能に支持する回転中心軸（固定軸）９ｂ、回転中心軸９ｂが固定された基板９５、基板９５に固定されたコア９２及びコイル９３を備える。基板９５はコイル９３への電力を供給する回路を備える。回転スリーブ９ｅはオイルを介して回転中心軸９ｂに支持されており、コイル９３へ電力供給することで回転中心線（中心軸）９ａを中心に回転駆動される。
【００２９】
ハウジング部材２の底板ｂに設けられた保持孔（第１被嵌合部）２ａには、中間部材（第１嵌合部材）６が嵌合している。中間部材６には底板ｂに支持されるフランジ部６ｂが設けられており、これにより中間部材６が保持孔２ａに嵌合しながらハウジング部材２に支持される。中間部材６の保持孔２ａに嵌合する部分の外径はＲ１である。中間部材６には、中間部材６がハウジング部材２に支持された状態で、底板ｂの保持孔２ａの中心と同軸の軸孔６ａが設けられている。なお、フランジ部６ｂの外径は、ハウジング部材２の保持孔２ａの内径Ｒ１よりも大きく設定している。このため中間部材６が保持孔２ａを貫通して外れることはない。
【００３０】
回転中心軸９ｂの端部（被位置決め部）がハウジング部材２の保持孔２ａに嵌合した中間部材６の軸孔６ａに直接嵌合することで、回転中心線９ａに直交する方向に関して、ハウジング部材２に対するスキャナモータ９の回転中心線９ａの位置が決まっている。中間部材６を介してハウジング部材２に位置決めされたスリーブ回転タイプのスキャナモータ９の回転中心線９ａの位置は、ハウジング部材２に位置決めされた軸回転タイプのスキャナモータ９のスキャナモータ９の回転中心線９ａの位置と一致する。回転中心軸９ｂの軸孔６ａに嵌合する部分（被位置決め部）の外径はＲ２（＜Ｒ１）であり、軸孔６ａは所定の嵌め合い精度で回転中心軸９ｂと嵌合するようその内径が約Ｒ２に設定されている。
【００３１】
これにより、ポリゴンミラー１０と他の光学部材との位置関係が決まる。また、回転中心線９ａの方向に関して、基板９５がハウジング部材２の不図示の座面に突き当たり、ハウジング部材２に不図示のビスにより締結されている。これにより、回転中心線９ａの方向に関するスキャナモータ９の位置が決まり、スキャナモータ９がハウジング部材２から外れることを防いでいる。
【００３２】
次に図５を用いてハウジング部材２への中間部材６及びスキャナモータ９の取り付けについて説明する。図５はハウジング部材２と中間部材６との関係を示す斜視図である。まず、フランジ部６ｂが底板２ｂの上面に当接するまで、中間部材６をハウジング部材２の底板２ｂの保持孔２ａ内に挿入する。このため、中間部材６はハウジング部材２に嵌合し支持された状態となる。その後、スキャナモータ９の回転中心軸９ｂを中間部材６の軸孔６ａ内に嵌合させ、不図示のビスによりスキャナモータ９をハウジング部材２に締結固定する。なお、本実施形態では、スリーブ回転タイプのスキャナモータ９を有する走査光学装置１では、スキャナモータ９は第１モータ、ハウジング部材２は第１支持部材、保持孔２ａは第１被嵌合部、中間部材６は第１嵌合部材と称す。
【００３３】
＜ハウジング部材２の共通化＞
本実施形態では、上述した軸回転タイプのスキャナモータ９を備える走査光学装置１と、スリーブ回転タイプのスキャナモータ９を備える走査光学装置１と、を有する走査光学装置システムを構成する。その際、本実施形態では、スキャナモータ９が軸回転タイプより被位置決め部の外径の小さいスリーブ回転タイプの場合、中間部材６を用いる。これにより、スキャナモータ９が軸回転タイプのである場合のハウジング部材２も、スキャナモータ９がスリーブ回転タイプのスキャナモータである場合のハウジング部材２も、同じ型により成形された同形のもの用いることが可能である。このため、軸回転タイプのスキャナモータ９を有する走査光学装置１のハウジング部材（第２支持部材）２に対する保持孔（第２被嵌合部）２ａの位置と、スリーブ回転タイプのスキャナモータ９を有する走査光学装置のハウジング部材（第１支持部材）２に対する保持孔（第１被嵌合部）２ａの位置は同じである。このため、タイプの異なる複数のスキャナモータ９を使い分けて複数種類の走査光学装置１又は画像形成装置１６を作り分ける際も、同形のハウジング部材２を設計、製造すれば良い。つまり、共通のハウジング部材２で種類の異なる複数のスキャナモータ９を組み付け可能（使い分け可能）である。このため、複数種類の走査光学装置１又は画像形成装置１６の製造コストを下げることができる。
【００３４】
なお、共通のハウジング部材といっても全てのハウジング部材２が完全に同形でなくても、機能上は同じであるような実質的に同形であればよい。例えば大量生産のために２つの金型で、機能上は同じである実質的に同形のハウジング部材を製造する場合などは、ハウジング部材がどちらの金型でつくられたかを識別できるよう、刻印を異ならせることがある。つまり走査光学装置の機能に影響を与えない範囲で形状を僅かに変更したハウジング部材も実質的に同形の共通のハウジング部材である。また、１つの金型で製造していても製造誤差があり、このような場合も実質的に同形の共通のハウジング部材といえる。
【００３５】
また、スリーブ回転タイプと軸回転タイプのうちの一方のタイプのスキャナモータ９を使用した走査光学装置１のハウジング部材２をリサイクル等する際、ハウジング部材２に他方のタイプのスキャナモータ９を組み付けて別の走査光学装置１を組み立て可能である。つまり、スリーブ回転タイプのスキャナモータ９が中間部材（第１嵌合部材）６を介してハウジング部材２に対して位置決めされた走査光学装置１から、スリーブ回転タイプのスキャナモータ９と中間部材６を取り外す。その後、軸回転タイプのスキャナモータ９を保持孔２ａに嵌合させて軸回転タイプのスキャナモータ９をハウジング部材２に対して位置決めすることが可能である。軸回転タイプのスキャナモータ９が保持孔２ａに嵌合してハウジング部材２に対して位置決めされた走査光学装置１から、軸回転タイプのスキャナモータ９を取り外す。その後、中間部材（第２嵌合部材）６を保持孔２ａに嵌合させ、且つ中間部材６の軸孔６ａにスリーブ回転タイプのスキャナモータ９を嵌合させることで、スリーブ回転タイプのスキャナモータ９ハウジング部材２に対して位置決めすることが可能である。
【００３６】
なお、本実施形態では、種類の異なる複数のモータとして、軸回転タイプ、スリーブ回転タイプのモータについて説明した。しかしながら、種類の異なる複数のモータはこれらに限定されず、少なくともハウジング部材２に対する被位置決め部の外径が異なるような複数種類のモータであればよい。
【符号の説明】
【００３７】
１  走査光学装置
２  ハウジング部材
２ａ  保持孔
２ｂ  底板
６  中間部材
９  スキャナモータ
９ａ  回転中心線
９ｂ  回転中心軸部
９ｃ  軸受部材
９ｄ  回転軸
９ｅ  回転スリーブ
１０  ポリゴンミラー
１６  画像形成装置
【図１】
2016051068.tif 000003
【図２】
2016051068.tif 000004
【図３】
2016051068.tif 000005
【図４】
2016051068.tif 000006
【図５】
2016051068.tif 000007